(57)【特許請求の範囲】
【請求項１】
ロール状の帯状フィルムを載置して引出し自在に回動する載置用ローラと、引出した帯
状フィルムの全幅を切断する熱ヒータを内蔵したカッターと、商品を包装した帯状フィル
ムを熱溶着するヒータ台とを有するフィルム包装装置において、脚部を備えた架台にフィ
ルム包装装置のヒータ台が作業者の立ち位置側に設けられ、作業者の立ち位置から見てヒ
ータ台の前方に熱ヒータを内蔵したカッターが設けられると共に、カッターの前方の架台
上に計量器を備えた計量台が設けられ、さらに計量台の前方には、計量結果を表示する情
報表示器と、計量結果による価格を計算し情報表示器に表示する計算機と、計量数値と価
格と必要な商品情報を印刷するプリンターとを備え、且つ、前記フィルム包装装置は架台の手前側に開閉自在に枢設され、フィルム包装装置を手前側に回動することによって開放されたフィルム包装装置の内部の載置用ローラ上にロール状の帯状フィルムを取換え可能に設けてあることを特徴とする対面型フィルム包装装置。
【発明の詳細な説明】
【技術分野】
【０００１】
本発明は、野菜、果物、鮮魚、精肉、惣菜、おにぎり等の食品をプラスチック容器に入れてストレッチフィルムで包装する際に、この包装作業や商品ラベルの貼り付け作業等を購入客に対面した状態で行うことができる対面型フィルム包装装置に関する。
【背景技術】
【０００２】
従来から、野菜、果物、鮮魚、精肉等の生成食品、さらには惣菜、おにぎり等の食品をプラスチック容器に入れてストレッチフィルムで包装することが行なわれている。このような包装作業は、通常、作業台の上で行い、価格、単価、グラム表示、日付等を表示した商品ラベルを貼り付けた状態で商店に陳列するものである。
【０００３】
このような包装作業に適する装置としては、特許文献１に記載されているストレッチフィルム包装装置が知られている。この装置は、ポリオレフィンフィルムのように自己粘着性に乏しいフィルムを付着する装置として、該フィルムの重ね合わせ部を熱板の熱で溶着するようにした装置であり、その構成、ロール状の帯状フィルムを引出し自在に構成し、引き出した帯状フィルムの全幅を熱ヒータを内蔵したカッターで切断すると共に、帯状フィルムを引出す手前側にヒータ台を設け、包装したフィルムをヒータ台で熱溶着するように構成したものである。
【０００４】
ところで、上記の食品を大きな容器やケースに入れた状態で店内に陳列しておき、客の要望に応じた量を分け売りで販売する場合、プラスチック容器に客の要望する分量を入れ、ストレッチフィルムで包装し、その分量の重さを計量し、その分量の価格を計算し、これらの重量や価格をラベルに表示して商品に貼り付けるという一連の作業を迅速に行う必要がある。
【０００５】
このような作業は、従来においては、比較的大型の機械によって自動的に行なっていたのであるが、客に対面した状態で、上記の作業を迅速に行うことを可能とした装置は未開発であった。
【特許文献１】特開２００２―２９１８２８号公報
【発明の開示】
【発明が解決しようとする課題】
【０００６】
本発明は、以上の事情に鑑みてなされたもので、野菜、果物、鮮魚、精肉、惣菜、おにぎり等の食品をプラスチック容器に入れてストレッチフィルムで包装する際に、この包装作業や商品ラベルの貼り付け作業等を購入客に対面した状態で行うことができる対面型フィルム包装装置を提供することを目的とする。
【課題を解決するための手段】
【０００７】
上記の問題を解決するために、本発明における請求項１の対面型フィルム包装装置は、ロール状の帯状フィルムを載置して引出し自在に回動する載置用ローラと、引出した帯状フィルムの全幅を切断する熱ヒータを内蔵したカッターと、商品を包装した帯状フィルムを熱溶着するヒータ台とを有するフィルム包装装置において、脚部を備えた架台にフィルム包装装置のヒータ台が作業者の立ち位置側に設けられ、作業者の立ち位置から見てヒータ台の前方に熱ヒータを内蔵したカッターが設けられると共に、カッターの前方の架台上に計量器を備えた計量台が設けられ、さらに計量台の前方には、計量結果を表示する情報表示器と、計量結果による価格を計算し情報表示器に表示する計算機と、計量数値と価格と必要な商品情報を印刷するプリンターとを備え、且つ、前記フィルム包装装置は架台の手前側に開閉自在に枢設され、フィルム包装装置を手前側に回動することによって開放されたフィルム包装装置の内部の載置用ローラ上にロール状の帯状フィルムを取換え可能に設けてあることを特徴とする。
【発明の効果】
【０００９】
本発明の対面型フィルム包装装置によれば、野菜、果物、鮮魚、精肉、惣菜、おにぎり等の食品をプラスチック容器に入れてストレッチフィルムで包装する際に、帯状フィルムによる商品の包装、包装品の熱溶着、計量、商品表示の印刷等の作業を一台の架台に向かって行なうことができるため、狭い場所であっても設置可能であり、また購入客に対面した状態で設置することが可能である。
【００１０】
さらに、作業者の位置から前方に向かって順にヒータ台とカッターと計量台が設けられ、さらに計量台の前方には、計量器による情報表示器と、計量結果による価格を計算し表示する計算機と、計量数値と価格と必要な商品情報を印刷するプリンターとを備えていることによって、１人の作業者が購入客に対面した状態で流れ作業的に上記の作業を行うことができ、対面した購入客に対して迅速に商品を手渡すことが可能となる。
【発明を実施するための最良の形態】
【００１１】
以下、本発明の実施例について図面を参照しながら説明する。
【実施例１】
【００１２】
本発明による対面型フィルム包装装置１は、図１又は図２に示すように、ロール状の帯状フィルム２を載置して引出し自在に回動する載置用ローラ３、３と、引出した帯状フィルム２の全幅を切断する熱ヒータを内蔵したカッター４と、商品を包装した帯状フィルム２を熱溶着するヒータ台５とを有するフィルム包装装置１において、脚部６ａ、６ａ…を備えた架台６にフィルム包装装置１のヒータ台５が作業者の立ち位置Ｓ側に設けられ、作業者の立ち位置Ｓから見てヒータ台５の前方に熱ヒータを内蔵したカッター４が設けられると共に、カッター４の手前側にヒータ台５が設けられ、カッター４の前方の架台６上に計量器７を備えた計量台８が設けられ、さらに計量台８の前方には、計量結果を表示する情報表示器９と、計量結果による価格を計算し情報表示器９に表示する計算機１０と、計量数値と価格と必要な商品情報を印刷するプリンター１１とを備えてなるものである。
【００１３】
このような装置について詳細に述べると、図１に示すように、架台６の四方には脚部６ａ、６ａ…が設けられ、作業者が架台６に向かって立ち位置Ｓに立った姿勢で作業を行うことができる。また、架台６には、図２に示すように、作業者の立ち位置Ｓの手前側に不図示のヒンジによって開閉自在に枢設されたフィルム包装装置１が設けられ、このフィルム包装装置１を手前側に回動することによってフィルム包装装置１の内部が開放される構成とされている。なお、フィルム包装装置１は、フィルム包装装置１の側部に設けられた摘み１４を摘んで引張ることによって開くことができる。
【００１４】
上記のように開放された図２に示すフィルム包装装置１の内部には、下部に並設されたローラ３、３が回動自在に設けられ、並設された載置用ローラ３、３の上部にロール状の帯状フィルム２を載置するだけで帯状フィルム２を引出すことができ、帯状フィルム２を他の新しい帯状フィルム２に容易に取り替えることが可能とされている。また、上記のように引き出した帯状フィルム２はフィルム包装装置１の上部に並設された小径の案内用ローラ１３、１３間を通過して案内される。
【００１５】
図２のように開放したフィルム包装装置１は、作業者が前方に押して回動することにより、図１のように架台６に閉じた状態にすることができる。フィルム包装装置１の側面には内部に収めた帯状フィルム２の端面を外側から見ることができる部位に切開部１２が形成され、フィルム包装装置１を閉じた状態で作業者は帯状フィルム２の残量を目視で判断することが可能とされている。
【００１６】
さらに、図１に示すように、フィルム包装装置１の上部には熱ヒータを内蔵した細長の金属板によるカッター４が上方に突出し、このカッター４の上部に上記のように引き出した帯状フィルム２を当てることによって、帯状フィルム２を所定長さで幅方向に切断することができる。
【００１７】
また、カッター４の手前側に設けられたヒータ台５は、作業者の立ち位置Ｓの手前側に向かって下り勾配を有することによって作業をし易くしてある。このヒータ台５は、熱板５ａの上面に多数の突起５ｂを有し、熱板５ａの内部に設けられた不図示のヒータ線によって熱板５ａを加熱するようにしてある。また、熱板５ａの上面に設けられた夫々の突起５ｂは先端が滑らかな弧面を有し、さらに、熱板５ａに設けられたヒータ線は熱板５ａの両側域において密なる配置とされ、その中域において粗なる配置とされるのが好ましい。
【００１８】
このような構成により、帯状フィルム２を包装した包装品の下面におけるフィルムの重なり部を密集した突起の先端に押しつけることにより、包装品の底面に穴が開くような熱溶着を生じることなく、熱板の突起による部分的な熱溶着によって、迅速な熱溶着が可能となる。
【００１９】
さらに、カッター４の前方の架台６上には計量器７を備えた計量台８が設けられている。従って、作業者の立ち位置Ｓにて架台６に向って立った作業者が、野菜、果物、鮮魚、精肉、惣菜、おにぎり等の食品をプラスチック容器に入れて帯状フィルム２で包装し、ヒータ台５で包装品の下面を熱溶着した後、手に持った包装品をそのまま前方の計量台８に載せることによって、包装後の商品を即座に計量することが可能となる。
【００２０】
さらに、計量台８の前方には、計量器７による情報表示器９と、計量結果による価格を計算し表示する計算機１０と、計量数値と価格と必要な商品情報を印刷するプリンター１１とが設けられている。即ち、これらの計量器７と情報表示器９と計算機１０とプリンター１１とは作業者の立ち位置Ｓから見て前方側に配列されている。なお、計算機１０の上部に入力装置１０ａが設けられ、この入力装置１０ａから、商品名や販売の日付等、その他の情報を入力することができる。
【００２１】
また、計量器７は計量情報を計算機１０に伝達し、計算機１０で計算した結果を情報表示器９に表示すると共に、計算機１０で入力した内容もまた情報表示器９に表示され、さらに計算機１０はプリンター１１に接続され、計算機１０で指令された印字すべき商品内容が用紙に印刷される。この印刷用紙の裏面に接着剤を塗布してあれば、印刷用紙を上記の包装品に貼り付けることによって、そのまま架台６の向こう側に対面している購入客に商品を手渡すことができる。
【産業上の利用可能性】
【００２２】
本発明の対面型フィルム包装装置は、野菜、果物、鮮魚、精肉、惣菜、おにぎり等の食品をプラスチック容器に入れてストレッチフィルムで包装する際に、この包装作業や商品ラベルの貼り付け作業等を購入客に対面した状態で行うことができる対面型フィルム包装装置として利用可能である。
【図面の簡単な説明】
【００２３】
【図１】本発明による実施例の対面型フィルム包装装置を示す斜視図である。
【図２】本発明による実施例の対面型フィルム包装装置を示す斜視図であり、フィルム包装装置を開いてロール状の帯状フィルムを交換可能とした状況を示す。
【符号の説明】
【００２４】
１  フィルム包装装置
２  帯状フィルム
３  載置用ローラ
４  カッター
５  ヒータ台
５ａ  熱板
５ｂ  突起
６  架台
６ａ  脚部
７  計量器
８  計量台
９  情報表示器
１０  計算機
１０ａ  入力装置
１１  プリンター
１２  切開部
１３  案内用ローラ
１４  摘み
Ｓ  作業者の立ち位置
【図１】
0005041315.tif 000002
【図２】
0005041315.tif 000003